(57)【要約】【課題】深い興趣を遊技者に与えるようにする。【解決手段】ステージ部４０は、落下部４２と移流部４６ａ，４６ｂとを有し、収容室６０ａ，６０ｂは、仕切り壁部５０をはさんでステージ部４０の奥側に形成され、仕切り壁部５０には、流入窓部５２ａ，５２ｂが形成され、揺動体８０ａ，８０ｂは、収容室６０ａ，６０ｂ内において第１揺動端位置と第２揺動端位置との間を揺動するものであり、基準位置に位置する状態で流入窓部５２ａ，５２ｂを流入阻止状態とし、第１揺動端位置及び第２揺動端位置に位置する状態で流入窓部５２ａ，５２ｂを流入許容状態とし、第１流出位置に位置する状態で、第１支持面８１に支持されたパチンコ球を収容室６０ａ，６０ｂから流出路３８に導き、第２流出位置に位置する状態で、第２支持面８２に支持されたパチンコ球を収容室６０ａ，６０ｂからステージ部４０に導くものである。【選択図】図３
2005144062.tif 000002
【特許請求の範囲】
【請求項１】
役物を有する弾球遊技機であって、
前記役物は、ステージ部と、収容室と、揺動体と、流出路とを有し、
前記ステージ部は、左右方向に延び、遊技球が落下して当該役物の外部に流出する落下部と、前記収容室に対応する移流部とを有し、
前記収容室は、仕切り部をはさんで前記ステージ部の奥側に形成され、前記仕切り部には、前記移流部から前記収容室の内部に遊技球が流入するための流入部が形成され、
前記流出路は、前記ステージ部よりも下側において遊技球が当該役物の外部に流出するものであり、
前記揺動体は、
当該役物の奥行方向成分を有する方向の揺動軸線をほぼ基準として一対の第１支持部と第２支持部とを有し、前記収容室内において前記揺動軸線を中心として基準位置を基準に少なくとも一対の第１離隔位置と第２離隔位置との間を揺動するものであり、
前記基準位置に位置する状態で前記流入部を流入阻止状態とし、前記第１離隔位置及び前記第２離隔位置に位置する状態で前記流入部を流入許容状態とし、
前記基準位置よりも前記第１離隔位置の側の第１流出位置に位置する状態で、前記第１支持部に支持された遊技球を前記収容室から前記流出路に導き、
前記基準位置よりも前記第２離隔位置の側の第２流出位置に位置する状態で、前記第２支持部に支持された遊技球を前記収容室から前記ステージ部に導くものである、
弾球遊技機。
【請求項２】
請求項１に記載の弾球遊技機であって、
前記第１支持部と前記第２支持部とは前記揺動軸線をほぼ基準として所定の角度を隔てて遠心的に形成され、
前記揺動体が前記第１流出位置に位置する状態で、前記第１支持部が前記揺動軸線から離隔する方向に向かうにつれて徐々に下方に向かうように傾斜し、
前記揺動体が前記第２流出位置に位置する状態で、前記第２支持部が前記揺動軸線から離隔する方向に向かうにつれて徐々に下方に向かうように傾斜するものである、
弾球遊技機。
【発明の詳細な説明】
【技術分野】
【０００１】
本発明は、パチンコ機等の弾球遊技機に関するものである。
【背景技術】
【０００２】
従来より、弾球遊技機のセンター役物には、ステージ部に対して振分け機構を有しているものがある。すなわち、そのタイプのセンター役物では、ステージ部に流入した遊技球が、そのステージ部上を転動した後に、振分け機構によって複数の方面に流出するようにされている。
【０００３】
例えば、特許文献１に記載のものでは、センター役物（弾球遊技機）の幅方向に延びる回転軸線を中心に回転可能に振分け回動板が設けられている。振分け回動板の第１面は案内面とされ、第２面は分散面とされている。
そして、振分け回動板が回転することに伴って、その第１面（案内面）が上側になっている場合には、その案内面上に乗載した遊技球が、所定の方面に流出するように案内される。一方、その第２面（分散面）が上側になっている場合には、その分散面上に乗載した遊技球は、所定の方面に流出するように案内されることはなく、種々の方面に分散して流出する。
【０００４】
しかしながら、特許文献１に記載のセンター役物（弾球遊技機）では、遊技球の流れに２つのパターンしかなく、遊技者に対してあまり深い興趣を与えることができなかった。
【特許文献１】特開平１０−５７５５４公報
【発明の開示】
【発明が解決しようとする課題】
【０００５】
本発明は、役物においてさらに深い興趣を遊技者に与えることができる弾球遊技機を提供することを目的とする。
【課題を解決するための手段】
【０００６】
上記の目的を達成するために、請求項１に係る発明は、役物を有する弾球遊技機であって、前記役物は、ステージ部と、収容室と、揺動体と、流出路とを有し、前記ステージ部は、左右方向に延び、遊技球が落下して当該役物の外部に流出する落下部と、前記収容室に対応する移流部とを有し、前記収容室は、仕切り部をはさんで前記ステージ部の奥側に形成され、前記仕切り部には、前記移流部から前記収容室の内部に遊技球が流入するための流入部が形成され、前記流出路は、前記ステージ部よりも下側において遊技球が当該役物の外部に流出するものであり、前記揺動体は、当該役物の奥行方向成分を有する方向の揺動軸線をほぼ基準として一対の第１支持部と第２支持部とを有し、前記収容室内において前記揺動軸線を中心として基準位置を基準に少なくとも一対の第１離隔位置と第２離隔位置との間を揺動するものであり、前記基準位置に位置する状態で前記流入部を流入阻止状態とし、前記第１離隔位置及び前記第２離隔位置に位置する状態で前記流入部を流入許容状態とし、前記基準位置よりも前記第１離隔位置の側の第１流出位置に位置する状態で、前記第１支持部に支持された遊技球を前記収容室から前記流出路に導き、前記基準位置よりも前記第２離隔位置の側の第２流出位置に位置する状態で、前記第２支持部に支持された遊技球を前記収容室から前記ステージ部に導くものである、弾球遊技機である。
【０００７】
「少なくとも一対の第１離隔位置と第２離隔位置との間を揺動する」には、第１離隔位置／第２離隔位置が各々第１揺動端位置／第２揺動端位置（揺動体の一対の揺動端位置）に一致する場合に限らず、基準位置と第１揺動端位置との間（その両端を含まない）に第１離隔位置があり、基準位置と第２揺動端位置との間（その両端を含まない）に第２離隔位置がある場合がある。
【０００８】
「前記基準位置よりも前記第１離隔位置の側の第１流出位置に位置する」には、第１流出位置が第１離隔位置に一致する場合や、基準位置と第１離隔位置との間（その両端部は含まない）の位置に該当する場合に限らず、揺動体が第１離隔位置よりもさらに基準位置から離隔する位置まで揺動する場合（すなわち、第１揺動端位置が第１離隔位置よりもさらに基準位置から離隔する位置にある場合）においては、第１流出位置が第１離隔位置と第１揺動端位置との間（第１揺動端位置を含む）に該当する場合も含まれる。
このことは、「前記基準位置よりも前記第２離隔位置の側の第２流出位置に位置する」についても同様である。
【０００９】
「前記流出路に導き、」には、直接的に流出路に導く場合に限らず、間接的に流出路に導く場合、すなわち、流出路に至る位置に導く場合も含まれる。
同様に、「前記ステージ部に導く」には、直接的にステージ部に導く場合に限らず、間接的にステージ部に導く場合、すなわち、ステージ部に至る位置に導く場合も含まれる。
【００１０】
上記発明の弾球遊技機では、ステージ部を転動してその移流部に至った遊技球は、その時点における揺動体の状態及びその遊技球の勢いによって、次のような種々のパターンで移動する。
【００１１】
遊技球が移流部に至った時点において揺動体が基準位置等の流入阻止状態にある場合には、その遊技球は、収容室内に流入することなく、ステージ部を転動した後に、落下部から当該役物の外部へ流出する場合がある。
また、遊技球が移流部に至った時点において揺動体が基準位置等の流入許容状態にあっても、その遊技球にステージ部に沿った方向に大きな勢いがある場合には、上述と同様に、その遊技球は、収容室内に流入することなく、ステージ部を転動した後に、落下部から当該役物の外部へ流出する。
以上が第１のパターンである。
【００１２】
遊技球が移流部に位置する時点において、揺動体が第１離隔位置又は第２離隔位置等の流入許容状態にあるとともに、遊技球にステージ部に沿った方向に大きな勢いがない場合には、その遊技球は、移流部から収容室内に流入する（第２・第３のパターン）。
なお、ここで、「遊技球が移流部に位置する時点において、」とは、遊技球が移流部に至った時点においては揺動体が流入阻止状態にあり、遊技球が移流部に所定の時間の間留まった後に揺動体が流入許容状態になる場合も含まれる。
【００１３】
上述のうち、遊技球が揺動体が第２離隔位置にある場合に収容室内に流入した遊技球は、揺動体が第１離隔位置に向けて揺動することに伴って、第１支持部によって支持されて変位する。そして、揺動体が基準位置よりも第１離隔位置の側の第１流出位置に位置する状態で、その遊技球は、第１支持部によって流出路に向けて導かれ、流出路から当該役物の外部へ流出する。
これが第２のパターンである。
【００１４】
上述のうち、遊技球が揺動体が第１離隔位置にある場合に収容室内に流入した遊技球は、揺動体が第２離隔位置に向けて揺動することに伴って、第２支持部によって支持されて変位する。そして、揺動体が基準位置よりも第２離隔位置の側の第２流出位置に位置する状態で、その遊技球は、第２支持部によってステージ部に向けて導かれ、ステージ部に戻る。
これが第３のパターンである。
第３のパターンの場合においては、遊技球は、ステージ部に戻った後に、上述の第１〜第３のパターンのいずれかのパターンで移動する。
【００１５】
以上のように、上記の発明の弾球遊技機（役物）では、揺動体の状態及びその遊技球の勢いによって遊技球の流れに大きな多様性があり、遊技者に対して深い興趣を与えることができる。
【００１６】
請求項２に係る発明は、請求項１に係る発明の弾球遊技機であって、前記第１支持部と前記第２支持部とは前記揺動軸線をほぼ基準として所定の角度を隔てて遠心的に形成され、前記揺動体が前記第１流出位置に位置する状態で、前記第１支持部が前記揺動軸線から離隔する方向に向かうにつれて徐々に下方に向かうように傾斜し、前記揺動体が前記第２流出位置に位置する状態で、前記第２支持部が前記揺動軸線から離隔する方向に向かうにつれて徐々に下方に向かうように傾斜するものである、弾球遊技機である。
【００１７】
上記の発明の弾球遊技機では、揺動体が第１流出位置に位置する状態においては、遊技球は、第１支持部（揺動軸線から離隔する方向に向かうにつれて徐々に下方に向かうように傾斜する）に沿って流下する。
同様に、揺動体が第２流出位置に位置する状態においては、遊技球は、第２支持部（揺動軸線から離隔する方向に向かうにつれて徐々に下方に向かうように傾斜する）に沿って流下する。
【００１８】
このようにして、上記の発明の弾球遊技機では、揺動体が第１流出位置／第２流出位置に位置する状態で、遊技球は、第１支持部／第２支持部に沿って流下（流出）して、流出路／ステージ部に円滑に至ることになる。
以上のように、上記の発明の弾球遊技機では、請求項１に係る発明の作用及び効果がより具体的に得られる。
【発明の効果】
【００１９】
以上のように、本発明の弾球遊技機では、遊技球の流れに大きな多様性が生じ、遊技者に対して深い興趣を与えることができる。
【発明を実施するための最良の形態】
【００２０】
次に、本発明の一実施形態を図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。ハンドル１２は、パチンコ球（遊技球）の発射操作をするものであり、賞球払い出し装置は、各入賞口（後述）にパチンコ球が入賞した場合にパチンコ球を賞球として払い出すものである。
【００２１】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。そして、遊技者がハンドル１２を操作することによって発射されたパチンコ球は、通路を通り、遊技領域へと導かれるのである。
【００２２】
遊技盤１０（遊技領域）には、多数の釘（図示省略）や風車２６が設けられているとともに、複数の普通入賞口２０が設けられている。普通入賞口２０にパチンコ球が入った場合には、例えば６又は１３個のパチンコ球が賞球として賞球払い出し装置から払い出される。
【００２３】
遊技盤１０のほぼ中央にはセンター役物３０が設けられている。センター役物３０の下方には始動入賞口２２が設けられ、その下方には大入賞口２４が設けられている。
【００２４】
センター役物３０には、表示部３２が設けられている。表示部３２は液晶等によって構成され、種々の図柄が表示される。
すなわち、始動入賞口２２にパチンコ球が入る（これを入賞という）と、表示部３２における図柄が所定の時間変動表示され、その後、最終的な図柄が静止表示される。静止表示された図柄には「当たり」と「はずれ」があり、「当たり」の場合（例えば「７７７」）には、大入賞口２４が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物３０が遊技者に与える特別な利益ということとする。
【００２５】
次に、図２〜図４等に基づいて、センター役物３０について詳しく説明する。
センター役物３０は、複数の部材がビスによって結合されて形成されており、左右対称の形状を有している。
【００２６】
センター役物３０のうちの下部のうちの手前側の部分には、ステージ部４０が形成されている。ステージ部４０は、左右方向に延びている。
ステージ部４０は、全般的に、左右の各端部から中央部に向かうにつれて徐々に若干下方に向かうように傾斜している。
【００２７】
ステージ部４０の各端部の側には、流下部３５ａ，３５ｂが形成されている。流下部３５ａ，３５ｂは、その上流側においてほぼ鉛直であり、上流側から下流側（ステージ部４０の側）に向かうにつれて水平からの傾斜角度が徐々に緩くなり、ステージ部４０に連なっている。
【００２８】
ステージ部４０の中央部には、落下部４２が形成されている。落下部４２は、凹状とされ、奥側から手前側に向かうにつれて徐々に若干下方に向かうように傾斜している。
ステージ部４０のうちの落下部４２以外の部分における手前側の縁部には、落下防止部４４が形成されている。落下防止部４４は、前板部３４の一部であり、ステージ部４０（その底面）よりも若干上方に突出している。落下防止部４４によって、ステージ部４０上のパチンコ球が手前側（センター役物３０の外側）に落下することが防止されている。
また、前板部３４（その一部）によって、流下部３５ａ，３５ｂにおけるパチンコ球が手前側に流出することが防止されている。
【００２９】
ステージ部４０の奥側には、左右一対の収容室６０ａ，６０ｂが設けられている。両収容室６０ａ，６０ｂの間の部分には、流出用落下部６８が形成されている。
両収容室６０ａ，６０ｂ及び流出用落下部６８とステージ部４０との間には、それらを仕切るように、仕切り壁部５０（仕切り部）が立設されている。各収容室６０ａ，６０ｂには、各々、揺動体８０ａ，８０ｂが収容されている。各揺動体８０ａ，８０ｂは、扇形状の厚肉板状をしている。各収容室６０ａ，６０ｂ及び各揺動体８０ａ，８０ｂについては、後に詳述する。
両流下部３５ａ，３５ｂ及び両収容室６０ａ，６０ｂ及び流出用落下部６８の背後には、背壁部９０が配設されている。
【００３０】
ステージ部４０には、左右一対の移流部４６ａ，４６ｂが形成されている。各移流部４６ａ，４６ｂは、各収容室６０ａ，６０ｂに対応して形成されている。
各移流部４６ａ，４６ｂは、凹状とされ、手前側から奥側に向かうにつれて徐々に若干下方に向かうように傾斜している。
ステージ部４０（移流部４６ａ，４６ｂを除く）の奥側においては、仕切り壁部５０によって、ステージ部４０上のパチンコ球の奥側の限界位置が規定されている。
【００３１】
仕切り壁部５０には、移流部４６ａ，４６ｂに各々対応して、流入窓部５２ａ，５２ｂ（流入部）が形成されている。
各流入窓部５２ａ，５２ｂによって、各移流部４６ａ，４６ｂと各収容室６０ａ，６０ｂの内部とが連通状態とされ、各移流部４６ａ，４６ｂに位置するパチンコ球が各収容室６０ａ，６０ｂ内に流入可能である（実際に流入し得るか否かは、後述するように、各揺動体８０ａ，８０ｂの状態による）。
【００３２】
ステージ部４０よりも下側には、流出路３８が形成されている。流出路３８は、前板部３４において開口するとともに、センター役物３０の奥行方向にほぼ沿って延びている。
【００３３】
次に、各収容室６０ａ，６０ｂ及び各揺動体８０ａ，８０ｂについて詳述する。
前述したように、仕切り壁部５０は、両収容室６０ａ，６０ｂ及び流出用落下部６８とステージ部４０とを仕切るように立設されている。すなわち、両収容室６０ａ，６０ｂは、仕切り壁部５０をはさんでステージ部４０の奥側に形成されている。
【００３４】
各収容室６０ａ，６０ｂの底部（符号省略）は、各揺動体８０ａ，８０ｂに対応して、ほぼ半円状の帯状をしている。
各収容室６０ａ，６０ｂのうちのセンター役物３０としての左右方向の中央部の側には、第１上方突出部７１が形成されている。流出用落下部６８（前述）は、両収容室６０ａ，６０ｂの両第１上方突出部７１の間に形成されているともいえる。
各第１上方突出部７１の上面は、各収容室６０ａ，６０ｂから流出用落下部６８に向かうにつれて、徐々に下方に向かうように傾斜している。流出用落下部６８は、鉛直下方に延び、流出路３８に連通している。
【００３５】
各収容室６０ａ，６０ｂのうちのセンター役物３０としての左右の各端部の側には、第２上方突出部７２が形成されている。各第２上方突出部７２の外側には、流下部３５ａ，３５ｂ（その下流端部）が存在している。
各第２上方突出部７２の上面は、各収容室６０ａ，６０ｂから流下部３５ａ，３５ｂ（その下流端部）に向かうにつれて、徐々に下方に向かうように傾斜している。各第２上方突出部７２のうちの流下部３５ａ，３５ｂ（その下流端部）の側の縁部（外側下縁部７４ということとする）は、奥側から手前側に向かうにつれて、センター役物３０としての左右方向の各端部の側から中央部の側に向かうように、斜めに形成されている。
【００３６】
左右一対の各揺動体８０ａ，８０ｂは、扇形状の厚肉板状をしており（このことは前述）、円弧面部８５，一対の第１支持面８１（第１支持部）・第２支持面８２（第２支持部）を有している。
第１支持面８１及び第２支持面８２は、揺動体８０ａ，８０ｂの頂点部（符号省略）を基準に直角に近い鈍角の角度を隔てて形成されている。
【００３７】
各揺動体８０ａ，８０ｂは、その頂点部（又はその近傍）においてセンター役物３０の奥行方向に延びる揺動軸線（揺動軸は図示省略）を中心として、揺動可能とされている。すなわち、第１支持面８１と第２支持面８２とは、揺動軸線をほぼ基準として所定の角度（直角に近い鈍角）を隔てて遠心的に形成されているともいえる。
【００３８】
各揺動体８０ａ，８０ｂは、モータ８８ａ，８８ｂ及び図示しない機構によって、中立的な基準位置（図２（ａ）（ｂ）の右半部，図５Ａ）を基準に、第１揺動端位置（図３（Ｂ），図７Ａ）と第２揺動端位置（図４（Ｂ），図６Ａ）との間を揺動する。
両揺動体８０ａ，８０ｂは相互に関連して揺動してもよいし、各々独立的に揺動してもよい。本実施形態では、両揺動体８０ａ，８０ｂが対称的に揺動するようにされている。
【００３９】
各揺動体８０ａ，８０ｂが基準位置に位置する状態（図２（ａ）（ｂ）の右半部，図５Ａ）では、その各揺動体８０ａ，８０ｂによって流入窓部５２ａ，５２ｂが完全に閉塞される。
一方、各揺動体８０ａ，８０ｂが第１揺動端位置（図３（Ｂ），図７Ａ）及び第２揺動端位置（図４（Ｂ），図６Ａ）に位置する状態では、流入窓部５２ａ，５２ｂがほぼ完全に開放される。
【００４０】
また、各揺動体８０ａ，８０ｂには、基準位置（図２（ａ）（ｂ）の右半部，図５Ａ）と第１揺動端位置（図３（Ｂ），図７Ａ）との間の位置として、第１流下位置（第１流出位置）がある（図３（Ａ），図６Ｄ）。
各揺動体８０ａ，８０ｂが第１流下位置にある状態では、第１支持面８１はほぼ水平になる。正確には、第１支持面８１は、その基端部（揺動体８０ａ，８０ｂの頂点部）から先端部（揺動体８０ａ，８０ｂの遠心端部）に向かうにつれて徐々に下方に向かうように傾斜する。それとともに、第１支持面８１の先端部は、第１上方突出部７１（その揺動体８０ａ，８０ｂの側の端部の上面）とほぼ同一高さに位置する。
【００４１】
同様に、各揺動体８０ａ，８０ｂには、基準位置（図２（ａ）（ｂ）の右半部，図５Ａ）と第２揺動端位置（図４（Ｂ），図６Ａ）との間の位置として、第２流下位置（第２流出位置）がある（図４（Ａ），図７Ｄ）。
各揺動体８０ａ，８０ｂが第２流下位置にある状態では、第２支持面８２はほぼ水平になる。正確には、第２支持面８２は、その基端部（揺動体８０ａ，８０ｂの頂点部）から先端部（揺動体８０ａ，８０ｂの遠心端部）に向かうにつれて徐々に下方に向かうように傾斜する。それとともに、第２支持面８２の先端部は、第２上方突出部７２（その揺動体８０ａ，８０ｂの側の端部の上面）と同一高さに位置する。
【００４２】
各揺動体８０ａ，８０ｂは、基準位置（図２（ａ）（ｂ）の右半部等）を基準として第１揺動端位置（図３（Ｂ）等）と第２揺動端位置（図４（Ｂ）等）との間を揺動するのであるが（このことは上述）、揺動体８０ａ，８０ｂが第２揺動端位置（図４（Ｂ），図６Ａ）又はその近傍にある状態では、開放状態の流入窓部５２ａ，５２ｂを経てパチンコ球が収容室６０ａ，６０ｂ内に流入可能である。そして、収容室６０ａ，６０ｂ内に流入したパチンコ球は、収容室６０ａ，６０ｂ内に揺動体８０ａ，８０ｂの第１支持面８１の側に位置することになる（図６Ｂ）。この状態を第１流入許容状態ということとする。
【００４３】
また、揺動体８０ａ，８０ｂが第１揺動端位置（図３（Ｂ），図７Ａ）又はその近傍にある状態では、開放状態の流入窓部５２ａ，５２ｂを経てパチンコ球が収容室６０ａ，６０ｂ内に流入可能である。そして、収容室６０ａ，６０ｂ内に流入したパチンコ球は、収容室６０ａ，６０ｂ内に揺動体８０ａ，８０ｂの第２支持面８２の側に位置することになる（図７Ｂ）。この状態を第２流入許容状態ということとする。
【００４４】
第１流入許容状態及び第２流入許容状態をあわせて流入許容状態ということとする。
なお、本実施形態では、第１揺動端位置が本発明の第１離隔位置にも該当し、第２揺動端位置が本発明の第２離隔位置にも該当する。
【００４５】
また、揺動体８０ａ，８０ｂが基準位置（図２（ａ）（ｂ）の右半部，図５Ａ）等、上述以外の位置にある状態では、流入窓部５２ａ，５２ｂが閉塞状態（又は一部閉塞状態）とされて、パチンコ球は、流入窓部５２ａ，５２ｂを経て収容室６０ａ，６０ｂ内に流入する（完全に流入する）ことが阻止される。その状態を流入阻止状態ということとする。
なお、流入阻止状態においても、パチンコ球は、流入窓部５２ａ，５２ｂにおいて収容室６０ａ，６０ｂ内に対して部分的に流入することは可能である。
【００４６】
次に、このパチンコ機の作用及び効果について、図５Ａ〜図７Ｄに基づいて説明する。
遊技盤（図１参照）上を転動したパチンコ球（遊技球）が左側の流下部３５ａに流入した場合を説明する。なお、前述したように、このセンター役物３０は左右対称の構造を有しているため、右側の流下部３５ｂに流入した場合も同様である。
図５Ａ，図６Ａ，図７Ａに示すように、パチンコ球Ｂは、流下部３５ａを流下し、ステージ部４０（その左端部）に到達する。そして、そのパチンコ球Ｂは、それまでの勢い等に基づいて、ステージ部４０を右方向に転動し、移流部４６ａに至る。
【００４７】
そして、図５Ａ→図５Ｂに示すように、パチンコ球Ｂが移流部４６ａに位置する時点で揺動体８０ａが流入阻止状態にある場合には、パチンコ球Ｂは移流部４６ａから奥側に流入することが阻止され、原則としてさらに右方向に転動し、落下部４２から流出する。
なお、パチンコ球Ｂが移流部４６ａに位置する時点で揺動体８０ａが流入許容状態にある場合においても、パチンコ球Ｂに右方向への大きな勢いがある場合には、そのパチンコ球Ｂは移流部４６ａを通過して落下部４２から流出する。また、落下部４２を右方向に通過した後に左方向に戻って、落下部４２から流出する場合もあり得る。
以上が第１のパターンである。
【００４８】
図６Ａ，図７Ａに示すように、パチンコ球Ｂが左側の移流部４６ａに位置する時点で左側の揺動体８０ａが流入許容状態にある場合であってパチンコ球Ｂにそれほどの勢いがない場合（第２のパターン・第３のパターン）には、図６Ｂ，図７Ｂに示すように、パチンコ球Ｂは、左側の移流部４６ａから左側の流入窓部５２ａを通って左側の収容室６０ａ内に流入する。その場合について以下に詳述する。
【００４９】
なお、パチンコ球Ｂが左側の移流部４６ａに位置する時点で左側の揺動体８０ａが流入阻止状態に位置していたりパチンコ球Ｂに右方向に大きな勢いがあって、そのパチンコ球Ｂが左側の移流部４６ａを通過した後に右側の移流部４６ｂから右側の収容室６０ｂ内（揺動体８０ａが流入許容状態に位置する場合）に流入する場合もあり、それらの場合も同様である。
また、図５Ａ中に２点鎖線で示すように、パチンコ球Ｂが左側の移流部４６ａに到達した時点で左側の揺動体８０ａが流入阻止状態にある場合でも、パチンコ球Ｂにそれほどの勢いがなく、パチンコ球Ｂが移流部４６ａを奥側に流れ、流入窓部５２ａにおいて収容室６０ａ内に部分的に流入し、流入阻止状態の揺動体８０ａによってそれ以上の流入が阻止され、その状態でパチンコ球Ｂが停止する場合もある。その場合は、図６Ｂ，図７Ｂに示すように、揺動体８０ａが流入許容状態となった後に、パチンコ球Ｂは収容室６０ａ内に流入（完全に流入）する。これも、第２のパターン及び第３のパターンに該当する。
【００５０】
図６Ａ→図６Ｂに示すように、揺動体８０ａが流入許容状態にあってパチンコ球Ｂが収容室６０ａ内に流入する場合のうち、揺動体８０ａが第１流入許容状態にあってパチンコ球Ｂが収容室６０ａ内に流入した場合（第２のパターン）は、次のとおりである。
【００５１】
図６Ｂ→図６Ｃ→図６Ｄに示すように、第２揺動端位置（又はその近傍）に位置する揺動体８０ａが第１揺動端位置に向けて揺動することに伴って、パチンコ球Ｂは、揺動体８０ａの第１支持面８１に支持されて移動する。
すなわち、揺動体８０ａが第２揺動端位置（又はその近傍）（図６Ｂ）から基準位置（図６Ｃ）を経て、第１流下位置（図６Ｄ）に到達することによって、パチンコ球Ｂは、第１支持面８１を流下して、第１上方突出部７１の上面に移行する。
そして、そのパチンコ球Ｂは、第１上方突出部７１の上面を流出用落下部６８に向けて（すなわち図中右方向に）流下し、流出用落下部６８を落下し、流出路３８からセンター役物３０の外部へ流出する（図２（ｃ）も参照）。
以上が第２のパターンである。
【００５２】
図７Ａ→図７Ｂに示すように、揺動体８０ａが流入許容状態にあってパチンコ球Ｂが収容室６０ａ内に流入する場合のうち、揺動体８０ａが第２流入許容状態にあってパチンコ球Ｂが収容室６０ａ内に流入した場合（第３のパターン）は、次のとおりである。
【００５３】
図７Ｂ→図７Ｃ→図７Ｄに示すように、第１揺動端位置（又はその近傍）に位置する揺動体８０ａが第２揺動端位置に向けて揺動することに伴って、パチンコ球Ｂは、揺動体８０ａの第２支持面８２に支持されて移動する。
すなわち、揺動体８０ａが第１揺動端位置（又はその近傍）（図７Ｂ）から基準位置（図７Ｃ）を経て、第２流下位置（図７Ｄ）に到達することによって、パチンコ球Ｂは、第２支持面８２を流下して、第２上方突出部７２の上面に移行する。
そして、そのパチンコ球Ｂは、第２上方突出部７２の上面を流下部３５ａ（その下端部）に向けて（すなわち図中左方向）流下し、流下部３５ａ（その下端部）に落下する。
その後、そのパチンコ球Ｂは、第２上方突出部７２の外側下縁部７４に沿って流れ、ステージ部４０（その左端部）に移行する。
以上が第３のパターンである。
そして、そのパチンコ球Ｂは、再度、揺動体８０ａの状態等に基づいて、上述の第１〜第３のいずれかのパターンで流れる。
【００５４】
以上のように、このパチンコ機（センター役物３０）では、パチンコ球Ｂが移流部４６ａに至った時点における揺動体８０ａの状態及びパチンコ球Ｂの勢いによって異なるパターンで、そのパチンコ球Ｂがセンター役物３０内を転動する。
このように、このパチンコ機では、パチンコ球Ｂの流れに大きな多様性があり、遊技者に対して深い興趣を与えることができる。
【００５５】
なお、上記のものはあくまで本発明の一実施形態にすぎず、当業者の知識に基づいて種々の変更を加えた態様で本発明を実施できることはもちろんである。
【図面の簡単な説明】
【００５６】
【図１】本発明の一実施形態のパチンコ機の正面図である。
【図２】本発明の一実施形態のパチンコ機のセンター役物を示す図である。（ａ）は平面図であり、（ｂ）は正面図であり、（ｃ）は拡大縦断面図である。（ａ）及び（ｂ）において、左半部には、揺動体が第２揺動端位置にある状態が示され、右半部には、揺動体が基準位置にある状態が示されている。
【図３】本発明の一実施形態のパチンコ機のセンター役物を示す斜視図である。（Ａ）は各揺動体が第１流下位置にある状態を示し、（Ｂ）は各揺動体が第１揺動端位置にある状態を示す。
【図４】本発明の一実施形態のパチンコ機のセンター役物を示す斜視図である。（Ａ）は各揺動体が第２流下位置にある状態を示し、（Ｂ）は各揺動体が第２揺動端位置にある状態を示す。
【図５Ａ】本発明の一実施形態のパチンコ機（センター役物）の作用を説明する図である。（ａ）は平面図であり、（ｂ）は正面図である（このことは、図５Ｂ〜図７Ｄにおいても同様である）。第１のパターンを示す（このことは図５Ｂにおいても同様である）。
【図５Ｂ】本発明の一実施形態のパチンコ機（センター役物）の作用を説明する図である。図５Ａの次の段階を示す。
【図６Ａ】本発明の一実施形態のパチンコ機（センター役物）の作用を説明する図である。第２のパターンを示す（このことは図６Ｂ〜図６Ｄにおいても同様である）。
【図６Ｂ】本発明の一実施形態のパチンコ機（センター役物）の作用を説明する図である。図６Ａの次の段階を示す。
【図６Ｃ】本発明の一実施形態のパチンコ機（センター役物）の作用を説明する図である。図６Ｂの次の段階を示す。
【図６Ｄ】本発明の一実施形態のパチンコ機（センター役物）の作用を説明する図である。図６Ｃの次の段階を示す。
【図７Ａ】本発明の一実施形態のパチンコ機（センター役物）の作用を説明する図である。第３のパターンを示す（このことは図７Ｂ〜図７Ｄにおいても同様である）。
【図７Ｂ】本発明の一実施形態のパチンコ機（センター役物）の作用を説明する図である。図７Ａの次の段階を示す。
【図７Ｃ】本発明の一実施形態のパチンコ機（センター役物）の作用を説明する図である。図７Ｂの次の段階を示す。
【図７Ｄ】本発明の一実施形態のパチンコ機（センター役物）の作用を説明する図である。図７Ｃの次の段階を示す。
【符号の説明】
【００５７】
３０  センター役物（役物）
３８  流出路
４０  ステージ部
４２  落下部
４６ａ，４６ｂ  移流部
５０  仕切り壁部（仕切り部）
５２ａ，５２ｂ  流入窓部（流入部）  
６０ａ，６０ｂ  収容室
８０ａ，８０ｂ  揺動体
８１  第１支持面（第１支持部）
８２  第２支持面（第２支持部）
Ｂ  パチンコ球（遊技球）
【図１】
2005144062.tif 000003
【図２】
2005144062.tif 000004
【図３】
2005144062.tif 000005
【図４】
2005144062.tif 000006
【図５Ａ】
2005144062.tif 000007
【図５Ｂ】
2005144062.tif 000008
【図６Ａ】
2005144062.tif 000009
【図６Ｂ】
2005144062.tif 000010
【図６Ｃ】
2005144062.tif 000011
【図６Ｄ】
2005144062.tif 000012
【図７Ａ】
2005144062.tif 000013
【図７Ｂ】
2005144062.tif 000014
【図７Ｃ】
2005144062.tif 000015
【図７Ｄ】
2005144062.tif 000016